(57)【特許請求の範囲】
【請求項１】
ソケット本体に電気部品の端子に離接可能な複数のコンタクトピンを配設するとともに、前記ソケット本体にスライドプレートを移動自在に配設し、操作部材により前記スライドプレートを移動させることにより、前記コンタクトピンの先端部を開閉させて前記電気部品の端子に離接させるようにした電気部品用ソケットにおいて、前記コンタクトピンを、それぞれ傾斜案内面を備えた２つの可動弾性片と１つの固定弾性片の３つの弾性片により構成するとともに前記各可動弾性片を互いに離隔する方向に拡開自在に形成し、前記スライドプレートに前記コンタクトピンを拡開動作させるコンタクトピン動作部であって前記傾斜案内面に当接される傾斜面が形成されたコンタクトピン動作用孔からなるコンタクトピン動作部を設けるとともに、このスライドプレートの両側面にテーパ面を有するとともに外側に開いた動作用溝を形成し、前記操作部材の両側面に、前記スライドプレートの動作用溝に係合される動作用アームを配設し、前記操作部材の下方への押動により前記動作用アームが前記動作用溝のテーパ面を押動して前記スライドプレートを直接移動させて前記コンタクトピン動作用孔が前記傾斜案内面を押動することにより、前記各可動弾性片をスライドプレートの移動方向と直交する方向に拡開させるようにしたことを特徴とする電気部品用ソケット。
【発明の詳細な説明】
【０００１】
【発明の属する技術分野】
この発明は電気部品用ソケットに係り、特に、電気部品の性能試験を行なうために、この電気部品の端子と測定器のプリント配線板との電気的接続を図るための電気部品用ソケットに関するものである。
【０００２】
【従来の技術】
従来から、半導体装置等の電気部品の性能試験を行なうために、この電気部品の端子と測定器のプリント配線板との電気的接続を図るための電気部品用ソケットが多く用いられている。
【０００３】
このような電気部品用ソケットにおいては、ソケット本体上に電気部品が載置される位置決めプレートが配設されるとともに、このソケット本体にコンタクトピンが配設され、その位置決めプレートとソケット本体の間に水平方向にスライドするスライドプレートが配設され、さらに、このスライドプレートを移動させるための操作部材がソケット本体に対して上下動自在に配設されるようになっている。
【０００４】
そして、この操作部材を下降させることにより、リンク機構を介してスライドプレートを水平方向にスライドさせることにより、コンタクトピンの一方の弾性片を弾性変形させてその上端部を拡開させる。その後、電気部品を位置決めプレート上に載置して、操作部材を上昇させることにより、スライドプレートを元の位置に戻り動作させ、コンタクトピンヘの押圧力を解除させる。これにより、コンタクトピンがその弾性力により初期位置に戻ることで、コンタクトピンの先端部により電気部品の端子を挟持して電気的に接続するようになっている。
【０００５】
【発明が解決しようとする課題】
しかしながら、このような従来の電気部品用ソケットにおいては、操作部材を下降させることにより、リンク機構を介してスライドプレートを水平方向にスライドさせるようにしているため、スライドプレートの移動機構が複雑となってしまい、部品点数の増加を招き、製造が困難で、製造コストも高くなってしまうという問題を有している。
【０００６】
また、コンタクトピンの一方の弾性片を拡開させて電気部品の端子を挟持させるものであり、電気部品の端子を２点で支持するものであるため、コンタクトピンと端子との接触安定性が良好でないという問題をも有している。
【０００７】
本発明は前記した点に鑑みてなされたものであり、簡単な構造でスライドプレートを移動させることができ、容易にかつ安価に製造することができるとともに、コンタクトピンと端子との接触安定性を高めることのできる電気部品用ソケットを提供することを目的とするものである。
【０００８】
【課題を解決するための手段】
前記目的を達成するため請求項１に記載の発明に係る電気部品用ソケットは、ソケット本体に電気部品の端子に離接可能な複数のコンタクトピンを配設するとともに、前記ソケット本体にスライドプレートを移動自在に配設し、操作部材により前記スライドプレートを移動させることにより、前記コンタクトピンの先端部を開閉させて前記電気部品の端子に離接させるようにした電気部品用ソケットにおいて、前記コンタクトピンを、それぞれ傾斜案内面を備えた２つの可動弾性片と１つの固定弾性片の３つの弾性片により構成するとともに前記各可動弾性片を互いに離隔する方向に拡開自在に形成し、前記スライドプレートに前記コンタクトピンを拡開動作させるコンタクトピン動作部であって前記傾斜案内面に当接される傾斜面が形成されたコンタクトピン動作用孔からなるコンタクトピン動作部を設けるとともに、このスライドプレートの両側面にテーパ面を有するとともに外側に開いた動作用溝を形成し、前記操作部材の両側面に、前記スライドプレートの動作用溝に係合される動作用アームを配設し、前記操作部材の下方への押動により前記動作用アームが前記動作用溝のテーパ面を押動して前記スライドプレートを直接移動させて前記コンタクトピン動作用孔が前記傾斜案内面を押動することにより、前記各可動弾性片をスライドプレートの移動方向と直交する方向に拡開させるようにしたことを特徴とするものである。
【０００９】
この請求項１に記載の発明によれば、操作部材の下方への押動により、動作用アームにより動作用溝のテーパ面を押動させることにより、スライドプレートを直接移動させ、このスライドプレートの移動により、コンタクトピンの先端部を拡開させるようにしているので、スライドプレートを移動させるための機構が極めて簡単であり、部品点数を大幅に低減させることができ、容易に、かつ、安価に製造することができる。さらに、操作部材の動作用アームと、スライドプレートの動作用溝のテーパ面とによりスライドプレートを移動させるという簡単な構造であるため、操作部材の動作用アームおよびスライドプレートの動作用溝を複数設けることも容易に行なうことができ、これにより、スライドプレートを安定して移動させることが可能となる。更に、コンタクトピンを、２つの可動弾性片と１つの固定弾性片の３つの弾性片により構成し、各可動弾性片を互いに離隔する方向に拡開自在とし、電気部品の端子を３点で支持するようにしているので、コンタクトピンと端子との接触安定性を著しく高めることができる。更に、スライドプレートの移動により、コンタクトピン動作用孔が傾斜案内面を押動することにより、コンタクトピンの各可動弾性片をスライドプレートの移動方向と直交する方向に拡開させるようにしているので、簡単にかつ安定してコンタクトピンの可動弾性片を拡開動作させることができる。
【００１４】
【発明の実施の形態】
以下、本発明の実施形態を図１から図１１を参照して説明する。
【００１５】
図１から図３は本発明に係る電気部品用ソケットの実施の一形態を示したもので、本実施形態の電気部品用ソケット１は、例えば、ＩＣパッケージ等の電気部品（図示せず）の性能試験を行なうために、この電気部品の端子として格子状に配列された半田ボールと、測定器のプリント配線板（図示せず）との電気的接続を図るものである。
【００１６】
前記電気部品用ソケット１は、前記プリント配線基板上に装着されるソケット本体２を有しており、このソケット本体２には、前記電気部品の半田ボールに対応するように格子状に配列された複数のコンタクトピン３，３…が配設されている。
【００１７】
このコンタクトピン３は、図５に示すように、導電性を有する材料からなる横断面形状ほぼコ字状を有する基部４を有しており、この基部４の中央部上方には、固定弾性片５が延出されている。また、この基部４の両側上方には、一対の可動弾性片６，６がそれぞれ延出されており、これら各可動弾性片６は、互いに離間する方向に撓むことができるようになっている。さらに、前記各可動弾性片６の先端部分であって前記固定弾性片５側の面には、それぞれ傾斜案内面７が形成されている。また、前記基部４の中央部下方には、１本のソルダーテール部８が一体に形成されている。
【００１８】
そして、このコンタクトピン３は、ソルダーテール部８をソケット本体２に圧入することにより、ソケット本体２に対して直立状態に保持されており、このソケット本体２から下方に突出したソルダーテール部８は、図２に示すように、ロケートボード９を介してさらに下方に突出されるようになっている。このソルダーテール部８の最下端部は、前記プリント配線板の各貫通孔（図示せず）に挿通されて半田付けされることにより、プリント配線基板と接続されるようになっている。
【００１９】
また、ソケット本体２の上面側には、スライドプレート１０が配設されており、図９から図１１に示すように、スライドプレート１０には、前記各コンタクトピン３の固定弾性片５が挿通されるコンタクトピン貫通用孔１１および各可動弾性片６が挿通されるコンタクトピン動作用孔１２がそれぞれ形成されている。コンタクトピン動作用孔１２には、コンタクトピン３の傾斜案内面７に当接される傾斜面１３が形成されている。そして、このスライドプレート１０が移動することにより、コンタクトピン動作用孔１２が移動し、これにより、各コンタクトピン３の可動弾性片６がスライドプレート１０の移動方向に対して直交する方向に互いに離隔するように拡開されるようになっている。
【００２０】
また、図２および図４に示すように、スライドプレート１０の両側面には、上下方向に延在する動作用溝１４が形成されており、ソケット本体２の両側面であってスライドプレート１０の動作用溝１４に対応する位置には、この動作用溝１４の幅寸法よりわずかに幅寸法が小さく形成されたガイド溝１５が形成されている。動作用溝１４の内側面は、上下位置において幅位置がわずかにずれるように傾斜して形成されたテーパ面１６とされている。
【００２１】
さらに、スライドプレート１０の上面には、上面に電気部品が載置されるトッププレート１７が配設されており、このトッププレート１７には、図６から図８に示すように、各コンタクトピン３の上端部が挿通される支持開口１８が形成されている。このトッププレート１７の周囲には、図１に示すように、電気部品を所定の位置に位置決めするガイド部１９が設けられており、さらに、このトッププレート１７の両側面であって前記スライドプレート１０の動作用溝１４に対応する位置には、図２に示すように、この動作用溝１４の幅寸法より幅寸法が大きく形成された逃げ溝２０が形成されている。
【００２２】
さらに、トッププレート１７の上方には、操作部材２１が上下動自在に配設されており、この操作部材２１には、電気部品が挿入可能な大きさの開口２２が形成されている。操作部材２１の四隅には、下方に延在するガイドアーム２３が突設されており、このガイドアーム２３をソケット本体２の外側面に形成されたカバーガイド用溝２４に係合させることにより、操作部材２１を上下に案内することができるようになっている。この操作部材２１は、ばね等の図示しない付勢部材により常に上方に位置するように付勢されている。
【００２３】
さらに、本実施の形態においては、操作部材２１の両側であって、動作用溝１４に対応する位置には、下方に延在する動作用アーム２５が突設されており、この動作用アーム２５の中途部は、動作用溝１４に係合されるとともに、一側上方に動作用溝１４のテーパ面１６を退避させるための傾斜が形成された動作部２６とされている。また、この動作用アーム２５の下端部は、ガイド溝１５に係合されるように動作部２６の幅寸法に対して幅寸法がわずかに小さく形成されている。そして、操作部材２１を下降させることにより、動作用アーム２５の動作部２６がスライドプレート１０の動作用溝１４のテーパ面１６に摺接され、これにより、スライドプレート１０を横方向に移動させることができるようになっている。
【００２４】
また、ソケット本体２には、トッププレート１７の両側に位置する一対のラッチ２７が軸２８を中心として回動自在に取付けられており、このラッチ２７の先端部は、電気部品の周縁部を押える部品押え部２９とされている。さらに、このラッチ２７は、付勢ばね３０の付勢力により、部品押え部２９がトッププレート１７の上面に接触する方向に付勢されており、操作部材２１の下降動作により、付勢ばね３０の付勢力に抗してラッチ２７が回動して部品押え部２９が電気部品の配設位置から退避されるようになっている。
【００２５】
次に、本実施の形態の作用について説明する。
【００２６】
まず、通常状態では、図２、図６および図９に示すように、操作部材２１が上方に位置するとともに、コンタクトピン３の先端部は閉じられた状態に保持されている。
【００２７】
この状態から、電気部品を電気部品用ソケット１に装着するには、操作部材２１を下方に押し下げることにより、操作部材２１の動作用アーム２５が、その動作部２６がスライドプレート１０の動作用溝１４のテーパ面１６に摺接されるとともに、動作用アーム２５の下端部がガイド溝１５に案内されながら、下方に移動される。そして、前記動作用アーム２５が下降するにつれて、動作用アーム２５の動作部２６が動作用溝１４のテーパ面１６を押圧し、これにより、スライドプレート１０が横方向に移動される。
【００２８】
また、このスライドプレート１０の横方向への移動に伴って、スライドプレート１０のコンタクトピン動作用孔１２も移動し、これにより、図７および図１０に示すように、コンタクトピン動作用孔１２の傾斜面１３に当接しているコンタクトピン３の傾斜案内面７を押圧し、コンタクトピン３の可動弾性片６がスライドプレート１０の移動方向と直交する方向に互いに離隔するように拡開される。
【００２９】
また、これと同時に、図３に示すように、操作部材２１により、ラッチ２７が付勢ばね３０の付勢力に抗して回動され、部品押え部２９が退避位置まで移動される。
【００３０】
この状態で、電気部品がガイド部１９に案内されて、トッププレート１７の上面所定位置に載置され、電気部品の各半田ボールが、各コンタクトピン３の拡開された先端部の間に非接触状態で挿入される。
【００３１】
その後、操作部材２１の下方への押動力を解除すると、この操作部材２１が付勢部材の付勢力で上昇され、スライドプレート１０が横方向に移動して元の位置に戻されるとともに、ラッチ２７が付勢ばね３０の付勢力により回動され、部品押え部２９により電気部品の周縁部を押えるようになっている。
【００３２】
一方、スライドプレート１０が元の位置に戻ると、コンタクトピン３の可動弾性片６に対する押圧力が解除され、この可動弾性片６が元の位置に復帰され、図８および図１１に示すように、各可動弾性片６の先端部と固定弾性片５の先端部とにより、電気部品の半田ボールが挟持される。これにより、電気部品の各半田ボールとプリント配線板とがコンタクトピン３を介して電気的に接続されることになる。
【００３３】
また、電気部品を装着状態から取り外す場合は、同様に操作部材２１を下降させることにより、コンタクトピン３の先端部が拡開され、これにより、電気部品の半田ボールがコンタクトピン３から外れ、弱い力で簡単に電気部品を外すことができるものである。
【００３４】
したがって、本実施の形態においては、操作部材２１を下方に押し下げて、操作部材２１の動作用アーム２５の動作部２６が動作用溝１４のテーパ面１６を押圧することにより、スライドプレート１０を直接横方向に移動させるようにしているので、スライドプレート１０を移動させるための機構が極めて簡単であり、部品点数を大幅に低減させることができ、容易に、かつ、安価に製造することができる。さらに、操作部材２１の動作用アーム２５と、スライドプレート１０の動作用溝１４のテーパ面１６とによりスライドプレート１０を移動させるという簡単な構造であるため、操作部材２１の動作用アーム２５およびスライドプレート１０の動作用溝１４を複数設けることも容易に行なうことができ、これにより、スライドプレート１０を安定して移動させることが可能となる。
【００３５】
また、コンタクトピン３を固定接触片と２つの可動接触片とから構成し、電気部品の半田ボールを３点で支持するようにしているので、コンタクトピン３と半田ボールとの接触安定性を著しく高めることができる。
【００３６】
なお、本発明は前記実施形態のものに限定されるものではなく、必要に応じて種々変更することが可能である。
【００３７】
【発明の効果】
以上述べたように請求項１に記載の発明に係る電気部品用ソケットは、操作部材の下方への押動により動作用アームにより動作用溝のテーパ面を押動させて、スライドプレートを直接移動させるようにしているので、スライドプレートを移動させるための機構が極めて簡単であり、部品点数を大幅に低減させることができ、容易に、かつ、安価に製造することができる。更に、コンタクトピンを、２つの可動弾性片と１つの固定弾性片の３つの弾性片により構成し、各可動弾性片を互いに離隔する方向に拡開自在とし、電気部品の端子を３点で支持するようにしているので、コンタクトピンと端子との接触安定性を著しく高めることができる。更に、スライドプレートの移動により、コンタクトピン動作用孔が傾斜案内面を押動することにより、コンタクトピンの各可動弾性片をスライドプレートの移動方向と直交する方向に拡開させるようにしているので、簡単にかつ安定してコンタクトピンの可動弾性片を拡開動作させることができる等の効果を奏する。
【図面の簡単な説明】
【図１】  本発明に係る電気部品用ソケットの実施の一形態を示す平面図
【図２】  図１に示す電気部品用ソケットの半断面正面図
【図３】  図１に示す電気部品用ソケットの操作部材の押動状態を示す半断面正面図
【図４】  図２の電気部品用ソケットの動作用溝部分を示す拡大図
【図５】  図１の電気部品用ソケットに用いられるコンタクトピンを示す斜視図
【図６】  本発明によるコンタクトピンの閉じた状態を示すトッププレート部分の平面図
【図７】  本発明によるコンタクトピンの拡開状態を示すトッププレート部分の平面図
【図８】  本発明によるコンタクトピンの半田ボールの挟持状態を示すトッププレート部分の平面図
【図９】  本発明によるコンタクトピンの閉じた状態を示すスライドプレート部分の平面図
【図１０】  本発明によるコンタクトピンの拡開状態を示すスライドプレート部分の平面図
【図１１】  本発明によるコンタクトピンの半田ボールの挟持状態を示すスライドプレート部分の平面図
【符号の説明】
１  電気部品用ソケット
２  ソケット本体
３  コンタクトピン
５  固定弾性片
６  可動弾性片
７  傾斜案内面
１０  スライドプレート
１２  コンタクトピン動作用孔
１３  傾斜面
１４  動作用溝
１５  ガイド溝
１６  テーパ面
１７  トッププレート
２１  操作部材
２５  動作用アーム
２６  動作部
２７  ラッチ
【図１】
0004068280.tif 000002
【図２】
0004068280.tif 000003
【図３】
0004068280.tif 000004
【図４】
0004068280.tif 000005
【図５】
0004068280.tif 000006
【図６】
0004068280.tif 000007
【図７】
0004068280.tif 000008
【図８】
0004068280.tif 000009
【図９】
0004068280.tif 000010
【図１０】
0004068280.tif 000011
【図１１】
0004068280.tif 000012